(57)【特許請求の範囲】
【請求項１】
軸受けと、当該軸受けと所定間隔をとる貫通孔とのセットを二つ、面内仮想中心線上に配備する壁面取付け板と、この壁面取付け板を石膏ボード壁に固定する固定具本体とから成り、固定具本体は平板状アーム部の基端に前記軸受けに軸支される回動軸部を備え、先端に平板状打突部を設けると共に、この平板状打突部の先端に上記回動軸部を中心として回転移動し、上記貫通孔を貫通して石膏ボード壁に対し弓形状に突き刺す長尺な前後及び両側に湾曲した鉤爪状突き刺し部を備えることを特徴とする石膏ボード壁用固定構造。  
【請求項２】
前記壁面取付け板の二つの軸受けは、それぞれ回動軸部を背中合わせ状に軸支し、二つの鉤爪状突き刺し部がそれぞれ外回転状に移動して石膏ボード壁に対し対向弓形状に突き刺すことを特徴とする請求項１記載の石膏ボード壁用固定構造。
【請求項３】
前記壁面取付け板の二つの軸受けは、それぞれ回動軸部を互いに向き合い状に軸支し、二つの鉤爪状突き刺し部がそれぞれ内回転状に移動して石膏ボード壁に対し背中向き弓形状に突き刺すことを特徴とする請求項１記載の石膏ボード壁用固定構造。    
【発明の詳細な説明】
【技術分野】
【０００１】
この発明は、石膏ボード壁用固定具に関する。
【背景技術】
【０００２】
図７は、従来の石膏ボード壁用固定具を示す斜視図である。
この固定具は、ピン（針状釘）挿入用の孔６１を備えた円板状の第１のベース６２と、ピン挿入用孔６１に連通する連通孔６３を備え、第１のベース６２の表面に嵌着する円板状の第２のベース６４とからなる。
【０００３】
この固定具を石膏ボード壁に固定するに際しては、第１のベース６２の表面の凹み穴６５に第２のベース６４の裏面突子６６を嵌合して両者を一体固定する。この状態において、挿入用孔６１と連通孔６３が連通する。
【０００４】
次に、平板状の小物吊り下げフック６７上端部に設けた貫通孔６８に、第１のベース６２の裏面に突出した凸軸６９を嵌めて、固定具を壁面に対し位置決めする。この状態を保持して、ピン７を連通孔６３及び挿入用孔６１に挿入して、ハンマーで壁面に打ち込み固定する。この後、円筒状のキャップ体７１をベース６４（６２）に被せ、ピン７頭を隠す。
【特許文献１】特開２０１０−３１９７１号公報
【発明の開示】
【発明が解決しようとする課題】
【０００５】
上記石膏ボード壁用固定具では、針状の極めて径の細い、たとえば直径１ミリ程度のピンを打ち込むため、石膏ボードを比較的壊さずに小物掛け用フックを取り付け得る。
【０００６】
ところが、上記固定具は部品点数が多く構造が複雑である。また、少なくとも３本のピンを斜め交差状に挿し且つ打ち込まねばならず作業性が悪く、この打ち込み作業時に、固定具の位置ずれも生じやすい不利があった。
【０００７】
更に、ピンは石膏ボード壁面に対し、直線状に打ち込まれ、石膏ボードに対し線接触状に固定されるため耐荷重性が弱く、比較的重い物品の取り付けには不向きであった。また、壁面固定具が不要となった場合には、壁面に多数のピンの抜き孔ができ美観を損なう不利があった。
【０００８】
この発明は、以上のような課題を解消させ、構造が簡単で作業性が良く、壁面に対し面接触状に強固に固定でき耐荷重性が大きく、壁面への抜き痕も比較的目立たず美観が良い石膏ボード壁用固定具を提供することを目的とする。
【課題を解決するための手段】
【０００９】
この目的を達成させるために、この発明の石膏ボード壁用固定構造では、次のような構成としている。
石膏ボード壁用固定構造は、軸受けと所定間隔とる貫通孔とのセットを複数、面内仮想中心線上に配備する壁面取付け板と、この壁面取付け板を石膏ボード壁に固定する固定具本体とから成り、固定具本体は平板状アーム部の基端に前記軸受けに脱着可能に軸支される回動軸部を備え、先端に平板状打突部を設けると共に、この平板状打突部の先端に上記回動軸部を中心として回転移動し、上記貫通孔を貫通して石膏ボード壁に対し弓形状に突き刺す長尺な前後及び両側に湾曲した鉤爪状突き刺し部を備えて成る。
【発明の効果】
【００１０】
このような構成を有する石膏ボード壁用固定具では、プレス成形品の単一体として得られ、平板状打突部を打ちつけることで回動軸部を中心として固定具自体が回動し、鉤爪状突き刺し部を石膏ボード壁に対し湾曲状に突き刺し固定させることとしたから、部品点数が少なく、製造容易で、固定作業を強固且つ簡易に実行し得る。
【００１１】
また、鉤爪状突き刺し部は幅方向にも長手方向にも湾曲しており、且つ極薄肉状に設定されているから、石膏ボード壁に対し回動軸部を中心として回動して弓形状に突き刺さる。したがって、石膏ボード壁への突き立てが容易で、刺し込み長さが長く且つ面接触状に突き刺さり強固に固定できる。
【００１２】
更に、一対の軸受けを背中合わせに配置した場合は、二つの固定具の鉤爪状突き刺し部がそれぞれ外回動状に回動して石膏ボード壁に対し対向状に突き刺す。したがって、一対の固定具で広域範囲を強固に固定し得る。
【００１３】
また、一対の軸受けを所定距離開いて対向状に配置した場合は、二つの固定具の鉤爪状突き刺し部がそれぞれ内回動状に回動して接近し、且つ互いに背を向けた状態で石膏ボード壁に突き刺さる。したがって、局所的領域を重点的に強固に固定し得る等、発明目的を達成した優れた効果を有する。
【発明を実施するための最良の形態】
【００１４】
以下、図面に基づき本発明に係る石膏ボード壁用固定構造の具体的な実施の形態を説明する。
石膏ボード壁用固定構造は、軸受け２２と所定間隔とる貫通孔２３とのセット
を複数、面内仮想中心線上に配備する壁面取付け板２と、この壁面取付け板２を石膏ボード壁４に固定する固定具本体１とから成る。
図１で示すように、固定具本体１は例えば金属材（熱処理された鉄板材）のプレス成形品の単一体として形成される。平板状アーム部１２と、平板状アーム部１２の基端部に内向きに屈曲され軸受け２２に軸支される回動軸部１３と、平板状アーム部１２の先端に一体に連続する平板状打突部１４と、平板状打突部１４の先端に上記回動軸部１３を中心として回転移動し、上記貫通孔２３を貫通して石膏ボード壁４に対し弓形状に突き刺す長尺な前後及び両側に湾曲した鉤爪状突き刺し部１１を備える。
【００１５】
平板状アーム部１２は、矩形状の平板で、基端部を内抜きに折り曲げて屈曲した回動軸部１３を設けている。上記、平板状打突部１４は平板状アーム部１２より幅狭の矩形状の平板で、平板状アーム部１２の先端に内向きに立ち上がる折り曲げ段部１２ａを介して平板状アーム部１２に連続している。
【００１６】
この平板状打突部１４は、先端部に外向きに折り曲げた支承脚部１４ａを設けると共に、面内幅中央にリブ押しによる内突状膨出部１４ｂを設け、この内突状膨出部１４ｂに連続して鉤爪状突き刺し部１１が外向きに突設されている。
【００１７】
前記鉤爪状突き刺し部１１は、たとえば幅４ｍｍ、厚み０、５ｍｍの幅狭の比較的長尺な極薄状平板を、幅方向にも長手方向にも湾曲状に設定している。また、鉤爪状突き刺し部１１の先端は、突き入れが容易なように切っ先状の尖端部１１a に設定している。さらに、この鉤爪状突き刺し部１１には、リブ押しにより幅中央を盛り上げた線状の膨出部１１ｂを設けている。
【００１８】
図２は、図１の固定具本体１を壁面取付け板（軸受け２２）２にセットした状態を示す斜視図である。
壁面取付け板２は、平板状の基板２１の面内に側板部２２ａと天板部２２ｂとから成る略「Ｌ字状」に形成された軸受け２２、２２を設けている。軸受け２２は、図３の要部斜視図で示すように、天板部２２ｂの内面に垂直状の仕切り板部２２ｃを設けて、二つの隣り合う軸うけ空間を設定している。
【００１９】
２つの固定具本体１、１は、それぞれ仕切り板部２２ｃを介して背中合わせ状に嵌合セットされ、平板状の基板２１の面内の貫通孔２３、２３に対し鉤爪状突き刺し部１１、１１の尖端部１１a 、１１ａがそれぞれ対応位置する。
【００２０】
図２で示すように、壁面取付け板（基板２１）２の両側辺には外方へ突出する嵌合片２４、２４を張り出し形成している。一方、小物掛け具となる背面開口の筒状キャップ体３には、上記嵌合片２４、２４に嵌脱する溝部３１を設け、上方からスライド嵌め着けするように設定してある。筒状キャップ体３の表面側には、水平状の引っ掛け軸部３２と、脱落防止用突起３３が突設してある。
【００２１】
図５は、図１の固定具本体１を他の実施の形態の壁面取付け板（軸受け２２）２にセットした状態を示す要部斜視図である。
この壁面壁面取付け板２は、平板状の基板２１の面内の中央部に２つの貫通孔２３、２３を開口し、その外側、つまり基板２１の両端部に軸受け２２、２２を設定している。
【００２２】
２つの固定具本体１、１の回動軸部１３、１３は、軸受け２２、２２に軸承され、対応する貫通孔２３、２３に対し鉤爪状突き刺し部１１、１１の尖端部１１a 、１１ａがそれぞれ対応位置する。
【００２３】
このような構成を有する石膏ボード壁用固定具では、図３に示すような軸受けセット状態では、平板状打突部１４の打突膨出部１４ｂをハンマー等で打突すると、回動軸部１３、１３が回動、つまり、鉤爪状突き刺し部１１が軸受け２２を中心として外向き回動する。
【００２４】
これにより、尖端部１１ａ、１１a が対応する貫通孔部２３、２３を貫通し、石膏ボード壁４に対し尖端部１１a が突き入り、弓形状で刺し込み長さが長く且つ面接触状に突き刺さる。
【００２５】
更に、図４で示すように、二つの固定具本体１、１の鉤爪状突き刺し部１１、１１が、それぞれ外回動状に回動して石膏ボード壁４に対し湾曲状で且つ対向状に突き刺さるから、広域範囲を強固に固定し得る。
【００２６】
また、図５に示すような軸受けセット状態では、平板状打突部１４の打突膨出部１４ｂをハンマー等で打突すると、回動軸部１３、１３が回動、つまり、鉤爪状突き刺し部１１、１１が軸受け２２、２２を中心として内向き回動し、尖端部１１ａ、１１a が貫通孔部２３、２３を貫通し石膏ボード壁４に突き入る。
【００２７】
図６でしめすように、二つの固定具本体１、１の鉤爪状突き刺し部１１、１１がそれぞれ内回動状に回動して接近し、且つ互いに背を向けた状態で石膏ボード壁４に突き刺さる。したがって、局所的領域を重点的に強固に固定し得る。
【図面の簡単な説明】
【００２８】
【図１】石膏ボード壁用固定具を示す斜視図である。
【図２】軸受けした固定具と筒状キャップ体を示す分解斜視図である。
【図３】回動軸部を軸受けした状態を示す要部斜視図である。
【図４】固定具を壁面に打込み固定した状態を示す断面図である。
【図５】回動軸部を軸受けした他の実施形態を示す要部斜視図である。
【図６】固定具を壁面に打込み固定した状態を示す断面図である。
【図７】従来の石膏ボード壁用固定具を示す分解斜視図である。
【符号の説明】
【００２９】
１      固定具本体  
２      壁面取付け板
３      筒状キャップ体
４      石膏ボード壁
１１    鉤爪状突き刺し部
１２    平板状アーム
１３    回動軸部
１４    平板状打突部
２１    軸受け基板
２２    軸受け
２３    貫通孔
２４    嵌合片
３１    嵌合溝
３２    フック突出部
３３    脱落防止部
１１ａ  尖端部
１１ｂ  線状の膨出部
１２ａ  折り曲げ段部
１４ａ  支承脚部
１４ｂ  内突状膨出部
【図１】
0006432726.tif 000002
【図２】
0006432726.tif 000003
【図３】
0006432726.tif 000004
【図４】
0006432726.tif 000005
【図５】
0006432726.tif 000006
【図６】
0006432726.tif 000007
【図７】
0006432726.tif 000008